(57)【特許請求の範囲】
【請求項１】
移動局と外部の通信ネットワークとのデータ通信を中継するゲートウェイサーバと、このゲートウェイサーバと移動局との間に介在するパケット転送処理装置とを各々が有する第１および第２の地域網を含み、
移動局の利用者が加入した地域に対応する前記第１の地域網のゲートウェイサーバにアクセスするための接続先情報が移動局から前記第２の地域網に送信されると、前記第２の地域網のパケット転送処理装置は、この接続先情報を前記第１の地域網のパケット転送処理装置に転送し、前記第１の地域網のゲートウェイサーバは、当該第１の地域網のパケット転送処理装置から受信した当該接続先情報に基づいて、前記第１の地域網のパケット転送処理装置および前記第２の地域網のパケット転送処理装置を介した前記移動局と前記通信ネットワークとのデータ通信を中継する
移動通信網。
【請求項２】
前記各地域網のゲートウェイサーバは、地域網ごとに互いに相違するホームページを保持し、移動局から送信された接続先情報を受信すると当該ホームページを移動局に表示させる
請求項１に記載の移動通信網。
【発明の詳細な説明】
【０００１】
【発明の属する技術分野】
本発明は、移動通信網に関する。
【０００２】
【従来の技術】
近年、携帯電話は、めざましい勢いで普及しつつある。そして、近年の携帯電話の普及に伴い、携帯電話本来のサービスである音声通話サービスのみならず、パケット通信等の非音声サービスが提供されるようになってきている。例えば、携帯電話網を介したインターネットへの接続サービスがある。
【０００３】
【発明が解決しようとする課題】
ところで、上述したインターネット接続等の非音声サービスの利用に際しては、従来の音声通話サービスを受けるための操作にない新たな操作を行う必要が生じ、これにより、ユーザの負担が大きくなる問題がある。
【０００４】
本発明は、以上のような事情に鑑みてなされたものであり、インターネット接続等の非音声サービスの利用に際して、ユーザの負担を軽減することができる移動通信網を提供することを目的としている。
【０００５】
【課題を解決するための手段】
上述した課題を解決するために、本発明に係る移動通信網は、移動局と外部の通信ネットワークとのデータ通信を中継するゲートウェイサーバと、このゲートウェイサーバと移動局との間に介在するパケット転送処理装置とを各々が有する第１および第２の地域網を含み、移動局の利用者が加入した地域に対応する前記第１の地域網のゲートウェイサーバにアクセスするための接続先情報が移動局から前記第２の地域網に送信されると、前記第２の地域網のパケット転送処理装置は、この接続先情報を前記第１の地域網のパケット転送処理装置に転送し、前記第１の地域網のゲートウェイサーバは、当該第１の地域網のパケット転送処理装置から受信した当該接続先情報に基づいて、前記第１の地域網のパケット転送処理装置および前記第２の地域網のパケット転送処理装置を介した前記移動局と前記通信ネットワークとのデータ通信を中継することを特徴としている。
【０００６】
他の態様において、前記第１および第２の地域網の各々のゲートウェイサーバは、互いに相違するホームページを保持し、移動局から送信された接続先情報を受信すると当該ホームページを移動局に提供する。
【０００９】
【発明の実施の形態】
以下、図面を参照して、本発明の実施形態について説明する。この実施形態は、本発明を移動パケット通信網に適用したシステムとして構成したものである。なお、かかる実施の形態は、本発明の一態様を示すものであり、この発明を限定するものではなく、本発明の範囲内で任意に変更可能である。
【００１０】
Ａ：実施形態の構成
図１は、この発明の実施形態の全体構成を示すブロック図である。同図に示すように、本実施形態にかかる移動通信網は、それぞれ異なる地域（例えば、北海道地域、東北地域など）に設けられた複数の地域網ＬＮからなっている。そして、これらの各地域網ＬＮは、移動電話通信網ＭＤＭａと移動パケット通信網ＭＰＮａ、移動電話通信網ＭＤＮｂと移動パケット通信網ＭＰＮｂ、…、という具合に、それぞれ移動電話通信網と移動パケット通信網とにより構成されている。
【００１１】
また、移動通信網は、各地域網ＬＮのゲートウェイサーバを介してインターネットＩＮＥＴ等の外部のネットワークに接続された構成となっている。そして、このインターネットＩＮＥＴ上には、インフォメーション・プロバイダ（以下、「ＩＰ」と略す）サーバＷが接続されている。このＩＰサーバＷは、ＷＷＷ（Ｗｏｒｌｄ  Ｗｉｄｅ  Ｗｅｂ）サーバであり、各々ＩＰによって運用されている。なお、これらの各ＩＰサーバＷは、インターネットＩＮＥＴを介してゲートウェイサーバに接続されるものの他、専用線（図示略）を介して接続されるものもある。
【００１２】
移動局ＭＳａ、ＭＳｂおよびＭＳｃは、それぞれ、移動電話通信網ＭＤＮａ、ＭＤＮｂおよびＭＤＮｃの移動電話サービスと、移動パケット通信網ＭＰＮａ、ＭＰＮｂおよびＭＰＮｃのパケット通信サービスとを受けることができる。さらに、各地域網ＬＮは各地域間を結ぶ通信回線Ｃを介して相互に接続されており、これにより、移動局は、各地域間をまたがって相互に電話通信およびパケット通信が可能となっている。
【００１３】
次に、移動パケット通信網ＭＰＮａ、ＭＰＮｂおよびＭＰＮｃの構成について説明する。図１に示すように、各移動パケット通信網ＭＰＮａ、ＭＰＮｂおよびＭＰＮｃは、互いに同一の構成であるから、以下では移動パケット通信網ＭＰＮａの構成についてのみ説明し、移動パケット通信網ＭＰＮｂおよびＭＰＮｃについては説明を省略する。
【００１４】
図１において、移動パケット通信網ＭＰＮａは、基地局ＢＳａ、パケット加入者処理装置ＰＰＭａ、パケット転送処理装置ＰＴＭａ、移動パケットゲートウェイＭＰＧＷａ、ゲートウェイサーバＧＷＳａおよびこれらを接続する通信回線により構成されている。
【００１５】
基地局ＢＳａは、地上を例えば半径５００ｍ等の範囲で分割して所定間隔で配置されており、各々が形成する無線ゾーンに在圏した移動局との間で無線通信を行う。
【００１６】
また、パケット通信処理装置ＰＰＭａ、パケット転送処理装置ＰＴＭａおよび移動パケットゲートウェイＭＰＧＷａは、複数の基地局ＢＳａを収容するパケット加入者交換局に備えられたコンピュータシステムであり、移動局ＭＳａからのパケット交換要求を受け付けるとともに、移動パケット通信網ＭＰＮａ内におけるパケット交換を中継する。ここで、パケット転送処理装置ＰＴＭａは、送信されるパケットを、通信回線Ｃを介して他の移動パケット通信網内のパケット転送処理装置に転送する機能を有している。すなわち、例えば、移動パケット通信網ＭＰＮａ内のゲートウェイサーバＧＷＳａから、移動パケット通信網ＭＰＮｂに在圏する移動局ＭＳｂに対してパケットを送信する場合、移動局ＭＳｂに対して送信されたパケットは、パケット転送処理装置ＰＴＭａにおいて、移動パケット通信網ＭＰＮｂ内のパケット転送処理装置ＰＴＭｂに転送された後に移動局ＭＳｂに供給されることとなる。
【００１７】
また、ゲートウェイサーバＧＷＳａは、移動パケット通信網ＭＰＮａとインターネットＩＮＥＴ等の他のネットワークとを相互接続するための移動パケット関門中継交換局に備えられたコンピュータシステムであり、ネットワーク間で異なる通信プロトコルの変換を行う。具体的には、移動パケット通信網ＭＰＮａが従う移動パケット通信網用の伝送プロトコルと、インターネットＩＮＥＴ等の他のネットワークが従うＴＣＰ／ＩＰとの相互変換を行う。また、ゲートウェイサーバＧＷＳａは、上述したＩＰサーバＷと同様、ＷＷＷサーバとしての機能を有しており、移動局のユーザに対して情報提供等のサービスを提供することが可能である。
【００１８】
次に、移動局ＭＳａ、ＭＳｂおよびＭＳｃの構成について説明する。なお、本明細書において、「移動局」とは、携帯電話、簡易携帯電話（ＰＨＳ）および自動車電話等を含む概念である。この移動局ＭＳａ、ＭＳｂおよびＭＳｃは、上述したように、それぞれ移動パケット通信網ＭＰＮａ、ＭＰＮｂおよびＭＰＮｃによるパケット通信サービスと、上述した移動電話通信網ＭＤＮａ、ＭＤＮｂおよびＭＤＮｃによる移動電話サービスとを受けることができる端末装置である。なお、移動局ＭＳａ、ＭＳｂおよびＭＳｃは、互いに同一の構成であるから、以下では移動局ＭＳａの構成について説明し、移動局ＭＳｂおよびＭＳｃについては説明を省略する。
【００１９】
図２は、移動局ＭＳａの概略構成を示すブロック図である。同図に示すように、移動局ＭＳａは、基地局ＢＳａとの無線通信を行う無線部１と、液晶パネル等により構成される情報表示部２と、数字入力、文字入力等の情報入力操作が行われる操作部３と、ユーザが音声通話を行うための音声入出力部４と、各種情報を記憶する記憶部５と、これらの各部を制御するための制御部６とにより構成されている。また、この移動局ＭＳａは、文書データ閲覧用のソフトウェア（いわゆるブラウザ）を搭載しており、上述したＩＰサーバＷまたはゲートウェイサーバＧＷＳａから移動パケット通信網ＭＰＮａを介して供給されるＨＴＭＬ（ＨｙｐｅｒＴｅｘｔ  Ｍａｒｋｕｐ  Ｌａｎｇｕａｇｅ）形式のデータに基づいて、対話画面を表示させる。
【００２０】
ここで、上記記憶部５は、移動局ＭＳａの動作を制御するための制御プログラム等を記憶したプログラムＲＯＭ５ａの他、ＥＰＲＯＭやＥＥＰＲＯＭ等により構成されるデータ書込み可能なＲＯＭ５ｂを含んでいる。そしてこのＲＯＭ５ｂは、当該移動局ＭＳａを使用するユーザが加入した移動パケット通信網ＭＰＮａ内のゲートウェイサーバＧＷＳａにアクセスするための情報（特許請求の範囲における「接続先情報」に相当）を記憶している。すなわち、ユーザが移動局ＭＳａを購入し、パケット通信サービスに加入した際に、該パケット通信サービスに加入した地域に属するゲートウェイサーバの電話番号およびＵＲＬ（Ｕｎｉｆｏｒｍ  Ｒｅｓｏｕｒｃｅ  Ｌｏｃａｔｏｒ）が、上述したＲＯＭ５ｂに書き込まれるようになっている。
【００２１】
Ｂ：実施形態の動作
次に、本実施形態の動作を説明する。なお、以下では、実施形態の動作を、ａ．ユーザが移動局ＭＳａを購入して、パケット通信サービスに加入したときと、ｂ．移動局ＭＳａが加入した地域の移動パケット通信網ＭＰＮａにおいてパケット通信サービスを受けるときと、ｃ．移動局ＭＳａが加入した地域と異なる地域の移動パケット通信網ＭＰＮｂにおいてパケット通信サービスを受けるときとに分けて説明する。
【００２２】
ａ．移動局ＭＳａ購入・加入時
サービスの加入を受け付ける販売店には、移動局に対して各種初期情報を書き込むための書込装置が設置されている。そして、ユーザが移動局ＭＳａを購入し、パケット通信サービスに加入すると、この書込装置によって移動局ＭＳａの初期化が行われる。この初期化により、まず、移動局ＭＳａ内のＲＯＭ５ｂに該移動局ＭＳａの電話番号等が書き込まれる。そして、本実施形態ではさらに、加入した地域に対応する移動パケット通信網ＭＰＮａのゲートウェイサーバＧＷＳａにアクセスするための接続先情報、すなわち、該ゲートウェイサーバＧＷＳａにダイヤルアップ接続するための電話番号と、そのゲートウェイサーバＧＷＳａ上のホームページにアクセスするためのＵＲＬとが、移動局ＭＳａ内部のＲＯＭ５ｂに書き込まれる。このＵＲＬは、パケット通信サービスを開始した直後に、移動局ＭＳａの情報表示部２に初期画面として表示されるホームページを指定するためのアドレス情報である。
【００２３】
ＲＯＭ５ｂに記憶されるこれらの電話番号およびＵＲＬは、ユーザがパケット通信サービスに加入した地域ごとに異なっている。すなわち、例えば、移動局ＭＳｂが、移動パケット通信網ＭＰＮｂが設けられた地域においてパケット通信サービスに加入したとすると、該移動局ＭＳｂ内のＲＯＭ５ｂには、ゲートウェイサーバＧＷＳｂと回線を接続するための電話番号と、ゲートウェイサーバＧＷＳｂ内のＩＰサーバＷｂが保持するＨＴＭＬデータを指定するためのＵＲＬとが書き込まれる。同様に、移動パケット通信網ＭＰＮｃが設けられた地域においてパケット通信サービスに加入した移動局ＭＳｃ内のＲＯＭ５ｂには、ゲートウェイサーバＧＷＳｃと回線を接続するための電話番号と、ゲートウェイサーバＧＷＳｃ内のＩＰサーバＷｃが保持するＨＴＭＬデータを指定するためのＵＲＬとが書き込まれる。
【００２４】
ｂ．移動局ＭＳａが加入した地域の移動パケット通信網ＭＰＮａにおいてパケット通信サービスを受ける場合
上記ａに示した初期化が行われた後、移動局ＭＳａが移動パケット通信網ＭＰＮａが設けられた地域内においてパケット通信サービスを受ける場合には、図３中の矢印Ｘで示した経路に沿ってパケットの授受が行われる。
【００２５】
ユーザが、移動局ＭＳａに設けられた操作部３に対し、パケット通信サービスを受けるための所定の操作（例えば、予め決められた１つまたは２つ以上のキー入力操作）を行うと、移動局ＭＳａは、ゲートウェイサーバＧＷＳａとの間の回線を接続するための接続要求を送信する。
【００２６】
すなわち、まず、移動局ＭＳａ内の制御部６は、記憶部５内のＲＯＭ５ｂに格納された電話番号を読み出し、該電話番号を無線部１に引き渡す。次に、電話番号を受け取った無線部１は、該電話番号を基地局ＢＳａに対して送信する。
【００２７】
基地局ＢＳａは、移動局ＭＳａ内の無線部１によって送信された電話番号を受け取ると、パケット加入者処理装置ＰＰＭａに転送する。この電話番号は、パケット転送処理装置ＰＴＭａおよび移動パケットゲートウェイＭＰＧＷａを介してゲートウェイサーバＧＷＳａに送信される。これにより、移動局ＭＳａと、ゲートウェイサーバＧＷＳａとの間で回線が接続される。その後、ＴＣＰ（Ｔｒａｎｓｍｉｓｓｉｏｎ  Ｃｏｎｔｒｏｌ  Ｐｒｏｔｏｃｏｌ）の所定のシーケンスを経て、パケット交換が可能な状態となる。これにより、移動局ＭＳａは、ゲートウェイサーバＧＷＳａを介したＷＷＷへのアクセスが可能となる。
【００２８】
さらに、移動局ＭＳａ内の制御部６は、記憶部５内のＲＯＭ５ｂに格納されたＵＲＬを読み出して無線部１に引き渡す。ＵＲＬを受け取った無線部１は、該ＵＲＬを基地局ＢＳａに送信する。以後、該ＵＲＬは、上述した電話番号送信の際と同様の経路に沿って送信され（図３中の矢印Ｘ）、ゲートウェイサーバＧＷＳａに供給される。
【００２９】
移動局ＭＳａから送信されたＵＲＬを受け取ったゲートウェイサーバＧＷＳａは、このＵＲＬによって指定されるホームページのＨＴＭＬデータを移動局ＭＳａに対して送信する。このＨＴＭＬデータは、移動パケットゲートウェイＭＰＧＷａ、パケット転送処理装置ＰＴＭａ、パケット加入者処理装置ＰＰＭａおよび基地局ＢＳａを介して移動局ＭＳａへ送信される。
【００３０】
ＨＴＭＬデータを受け取った移動局ＭＳａ内の制御部６は、受け取ったＨＴＭＬデータを搭載されたブラウザによって解釈し、情報表示部２に受信情報を表示する。以上のような処理が行われることにより、移動局ＭＳａから送信されたＵＲＬによって指定されたゲートウェイサーバＧＷＳａのホームページが初期画面として表示される。図４（ａ）は、このようにして表示された初期画面の例を示す図である。この図４（ａ）に例示するように、ユーザが選択可能なメニューの一覧を示す画面が初期画面として表示されることとなる。
【００３１】
この後、ユーザが移動局ＭＳａに対して所定の操作を行い（例えば、「１」〜「５」の数字キーのうちのいずれかを押下する等）、この初期画面に表示されたメニュー番号を選択すると、選択されたメニュー番号に対応した画面を情報表示部２に表示させるための処理が行われる。
【００３２】
すなわち、移動局ＭＳａ内の制御部６は、ユーザによってメニュー番号が選択されると、該メニュー番号に対応したＵＲＬを無線部１を介して送信する。このＵＲＬは、図３中の矢印Ｘで示した経路に沿ってゲートウェイサーバＧＷＳａに送信される。ゲートウェイサーバＧＷＳａは、ＵＲＬを受け取ると、該ＵＲＬによって指定されたＩＰサーバＷが保持するホームページとの間でリンクを設定する。このようにしてリンクが設定されると、ＩＰサーバＷは、該ホームページを表すＨＴＭＬデータを移動局ＭＳａに対して送信する。このＨＴＭＬデータは、図３中の矢印Ｘで示した経路に沿って移動局ＭＳａに転送される。これにより、移動局ＭＳａの情報表示部２には、上記初期画面で選択したメニュー番号に対応した画面が表示されることとなる。すなわち、例えば、上述したメニュー番号として「１」を選択した場合には、図４（ｂ）に示したような画面が表示されるようになっている。
【００３３】
また、ユーザが、移動局に対してパケット通信終了のための所定の操作を行うと、移動局ＭＳａとゲートウェイサーバＧＷＳａとの間の回線が切断され、パケット通信が終了する。
【００３４】
以上説明したように、移動局ＭＳａ内のＲＯＭ５ｂには、ゲートウェイサーバＧＷＳａの電話番号と、該ゲートウェイサーバＧＷＳａが保持しているホームページを指定するＵＲＬとが予め記憶されているので、ユーザは、移動パケット通信サービスを受けるに際して、ゲートウェイサーバの電話番号やＵＲＬを覚えたり、メモしておく等の作業を行う必要がなく、簡単な指示操作を行うだけでパケット通信サービスを受けることができる。
【００３５】
ｃ．移動局ＭＳａが加入した地域とは異なる地域の移動パケット通信網ＭＰＮｂにおいてパケット通信サービスを受ける場合
移動局ＭＳａのユーザは、加入した地域内において移動局ＭＳａを用いるだけでなく、移動局ＭＳａを購入した地域とは異なる地域において、移動局ＭＳａを用いる場合もある。以下では、この場合の例として、移動局ＭＳａが移動パケット通信網ＭＰＮｂが設けられた地域内においてパケット通信サービスを受ける場合の動作について説明する。なお、この場合には、図３中の矢印Ｙで示した経路に沿って通信が行われる。
【００３６】
上述した加入した地域における場合と同様の手順により移動局ＭＳａから送信された電話番号は、基地局ＢＳｂおよびパケット加入者処理装置ＰＰＭｂを介してパケット転送処理装置ＰＴＭｂに送信される。次に、パケット転送処理装置ＰＴＭｂは、受け取った電話番号を、通信回線Ｃを介して移動パケット通信網ＭＰＮａ内のパケット転送処理装置ＰＴＭａに転送する。パケット転送処理装置ＰＴＭａに転送された電話番号は、移動パケットゲートウェイＭＰＧＷａを介してゲートウェイサーバＧＷＳａに送信される。以後、上述した加入した地域における手順と同様の手順を経て、移動パケット通信網ＭＰＮｂが設けられた地域に在圏する移動局ＭＳａは、ゲートウェイサーバＧＷＳａを介したＷＷＷへのアクセスが可能となる。
【００３７】
次に、移動局ＭＳａ内のＲＯＭ５ｂに格納されたＵＲＬが、図３中のの矢印Ｙに示した経路に沿ってゲートウェイサーバＧＷＳａに送信される。そして、ゲートウェイサーバＧＷＳａは、ゲートウェイサーバＧＷＳａが保持するホームページのうち、受け取ったＵＲＬによって指定されるホームページを表すＨＴＭＬデータを移動局ＭＳａに対して送信する。具体的には、上記ＨＴＭＬデータは、ゲートウェイサーバＧＷＳａから移動パケットゲートウェイＭＰＧＷａ、パケット転送処理装置ＰＴＭａ、パケット転送処理装置ＰＴＭｂ、パケット加入者処理装置ＰＰＭｂおよび基地局ＢＳｂを介して、移動局ＭＳａに転送されるのである。以上のような動作により、移動局ＭＳａの情報表示部には、ゲートウェイサーバＧＷＳａが保持しているホームページ、すなわち、移動局ＭＳａが移動通信網ＭＰＮａが設けられた地域に在圏している場合と同じホームページが表示されることとなる。以後の動作は、上述した加入した地域における場合と同様であるから、説明を省略する。
【００３８】
このように、本実施形態によれば、例えば、加入した移動パケット通信網ＭＰＮａが設けられた地域とは異なる地域にユーザが移動した場合であっても、移動先の地域に属するゲートウェイサーバＧＷＳｂではなく、加入した地域に属するゲートウェイサーバＧＷＳａに自動でアクセスする。従って、ユーザは、普段から使い慣れたホームページを初期画面としてみることができる。
【００４０】
【発明の効果】
以上に説明したように、本発明によれば、移動通信網が地域ごとに分割されている環境において、ユーザが出張等によって加入時とは異なる地域に移動した場合であっても、移動先の地域に属するゲートウェイサーバではなく、加入した地域に属するゲートウェイサーバにアクセスするため、普段使い慣れた環境で非音声サービスを受けることが可能となる。
【図面の簡単な説明】
【図１】実施形態の全体構成を示すブロック図である。
【図２】同実施形態にかかる移動局の概略構成を示すブロック図である。
【図３】同実施形態にかかるパケット通信サービスにおける通信の経路を説明するための図である。
【図４】同実施形態にかかるパケット通信サービスにおいて、移動局に設けられた情報表示部に表示される画面の内容を例示する図である。
【符号の説明】
１  無線部
２  情報表示部
３  操作部
４  音声入出力部
５  記憶部
５ａ  プログラムＲＯＭ
５ｂ  ＲＯＭ（メモリ）
６  制御部
ＬＮ  地域網
Ｃ  通信回線
ＩＮＥＴ  インターネット
Ｗ  ＩＰサーバ
ＭＰＮａ，ＭＰＮｂ，ＭＰＮｃ  移動パケット通信網
ＭＤＮａ，ＭＤＮｂ，ＭＤＮｃ  移動電話通信網
ＭＳａ，ＭＳｂ，ＭＳｃ  移動局
ＢＳａ，ＢＳｂ，ＢＳｃ  基地局
ＰＰＭａ，ＰＰＭｂ，ＰＰＭｃ  パケット加入者処理装置
ＰＴＭａ，ＰＴＭｂ，ＰＴＭｃ  パケット転送処理装置
ＭＰＧＷａ，ＭＰＧＷｂ，ＭＰＧＷｃ  移動パケットゲートウェイ
ＧＷＳａ，ＧＷＳｂ，ＧＷＳｃ  ゲートウェイサーバ
【図１】
0003617784.tif 000002
【図２】
0003617784.tif 000003
【図３】
0003617784.tif 000004
【図４】
0003617784.tif 000005